(57)【要約】【課題】システム全体のスループットを維持しつつ、複数の装置から送信されたデータの衝突が発生する可能性を低減すること。【解決手段】キャリアセンス時間決定部１０２は、キャリアセンス実行部１１４によるキャリアセンスの実行の時間（第１の時間）を決定して、第１の時間においてキャリアセンス実行部１１４にキャリアセンスを実行させるためのキャリアセンス指示信号を出力する。キャリアセンス実行部１１４は、キャリアセンス指示信号に従って、第１の時間において無指向性アンテナ１１０を用いてキャリアセンスを実行し、第１の時間以外の第２の時間においてキャリアセンスを実行しない。データ送受信部１１２は、キャリアセンス指示信号に従って、第２の時間において指向性アンテナ１０８を用いてデータの送受信処理を実行し、第１の時間においてデータの送受信処理を実行しない。【選択図】      図１
2004266737.tif 000002
【特許請求の範囲】
【請求項１】
指向性アンテナと、
無指向性アンテナと、
第１の時間を決定する決定手段と、
前記第１の時間において前記無指向性アンテナを用いてキャリアセンスを実行するキャリアセンス実行手段と、
前記第１の時間以外の第２の時間において前記指向性アンテナを用いてデータの送受信処理を実行するデータ送受信手段と、
を具備することを特徴とする送受信装置。
【請求項２】
前記指向性アンテナおよび前記無指向性アンテナのいずれか一方を前記キャリアセンス実行手段および前記データ送受信手段のいずれか一方に電気的に接続する接続手段を具備し、
前記接続手段は、
前記第１の時間において前記無指向性アンテナを前記キャリアセンス実行手段に電気的に接続し、かつ、前記第２の時間において前記指向性アンテナを前記データ送受信手段に電気的に接続することを特徴とする請求項１記載の送受信装置。
【請求項３】
請求項１または請求項２記載の送受信装置を具備することを特徴とする基地局装置。
【請求項４】
請求項１または請求項２記載の送受信装置を具備することを特徴とする通信端末装置。
【請求項５】
指向性アンテナと、無指向性アンテナと、を具備する送受信装置における送受信方法であって、
第１の時間を決定する決定ステップと、
前記第１の時間において前記無指向性アンテナを用いてキャリアセンスを実行するキャリアセンス実行ステップと、
前記第１の時間以外の第２の時間において前記指向性アンテナを用いてデータの送受信処理を実行するデータ送受信ステップと、
を具備することを特徴とする送受信方法。
【発明の詳細な説明】
【０００１】
【発明の属する技術分野】
本発明は、送受信装置および送受信方法に関し、特に、ＣＳＭＡ（Ｃａｒｒｉｅｒ  Ｓｅｎｓｅ  Ｍｕｌｔｉｐｌｅ  Ａｃｃｅｓｓ）方式を用いる送受信装置および送受信方法に関する。
【０００２】
【従来の技術】
指向性アンテナ（たとえばセクタアンテナ）を有する複数の送受信装置が互いにデータ通信を行う無線通信システムにおいて、各送受信装置から送信されたデータの衝突を回避するためのプロトコルとしてＣＳＭＡプロトコルが使用されることがある。ＣＳＭＡプロトコルにおいて、データの送信に先立ってキャリアセンスが行われる。ここで、キャリアセンスとは、通信回線において他の送受信装置から無線送信されたキャリアの存在を検出することにより通信回線に空きがあるか否かを判定するための技術である。そして、キャリアセンスの結果、通信回線に空きがあると判定された場合にデータの送信が行われる。
【０００３】
図６は、ＣＳＭＡプロトコルを適用した従来の無線通信システムにおける動作の一例を説明するための図である。ここでは、セクタＳ１、Ｓ２、Ｓ３、Ｓ４を有する領域内に送受信装置６００ａ、６００ｂ、６００ｃが在圏している場合について説明する。
【０００４】
送受信装置６００ｂは、たとえば送受信装置６００ａに対して送信したいデータがある場合、そのデータの送信を実行する前にキャリアセンスを実行する。より具体的には、送受信装置６００ｂは、指向性アンテナ６０２ｂを用いて送受信装置６００ａが位置する方向においてのみキャリアセンスを実行する。そして、当該方向の通信回線に空きがある場合に、送受信装置６００ｂは、指向性アンテナ６０２ｂを用いてデータの送信を実行する。送受信装置６００ａは、指向性アンテナ６０２ａを用いて送受信装置６００ｂからのデータを受信する。
【０００５】
また、送受信装置６００ｃは、たとえば送受信装置６００ａに対して送信したいデータがある場合、そのデータの送信を実行する前にキャリアセンスを実行する。より具体的には、送受信装置６００ｃは、指向性アンテナ６０２ｃを用いて送受信装置６００ａが位置する方向においてのみキャリアセンスを実行する。そして、当該方向の通信回線に空きがある場合に、送受信装置６００ｃは、指向性アンテナ６０２ｃを用いてデータの送信を実行する。送受信装置６００ａは、指向性アンテナ６０２ａを用いて送受信装置６００ｃからのデータを受信する。
【０００６】
上記の無線通信システムにおいて、たとえば送受信装置６００ｃが送受信装置６００ｂから送受信装置６００ａへの方向と反対の方向に位置する場合、送受信装置６００ｂは、キャリアセンスを実行する時に送受信装置６００ｃからのキャリアを検出することができない。したがって、送受信装置６００ｂから送受信装置６００ａへのデータと送受信装置６００ｃから送受信装置６００ａへのデータとの衝突が発生する可能性が高い。
【０００７】
データの衝突が発生する可能性を低減するための送受信方法の一例として、特許文献１に記載されたものがある。この方法は、通信相手装置が位置する方向および当該方向と反対の方向においてそれぞれキャリアセンスを実行する。
【０００８】
【特許文献１】
特開２００２−５７６７７号公報
【０００９】
【発明が解決しようとする課題】
しかしながら、従来の送受信方法は、キャリアセンスの所要時間を増大させるため、伝送遅延時間を増大させるだけでなくデータ送受信の中断期間も増大させてしまうから、システム全体のスループットを低下させるという問題があった。
【００１０】
本発明は、かかる点に鑑みてなされたものであり、システム全体のスループットを維持しつつ、複数の装置から送信されたデータの衝突が発生する可能性を低減できる送受信装置および送受信方法を提供することを目的とする。
【００１１】
【課題を解決するための手段】
請求項１記載の送受信装置は、指向性アンテナと、無指向性アンテナと、第１の時間を決定する決定手段と、前記第１の時間において前記無指向性アンテナを用いてキャリアセンスを実行するキャリアセンス実行手段と、前記第１の時間以外の第２の時間において前記指向性アンテナを用いてデータの送受信処理を実行するデータ送受信手段と、を具備する構成を採る。
【００１２】
この構成によれば、第１の時間においてキャリアセンスを実行する時に無指向性アンテナを使用するため、短時間で、かつ、通信相手装置が位置する方向および当該方向と反対の方向を含む全ての方向において、キャリアセンスを実行できるから、システム全体のスループットを維持しつつ、データの衝突が発生する可能性を低減することができる。
【００１３】
請求項２記載の送受信装置は、請求項１記載の送受信装置の構成において、前記指向性アンテナおよび前記無指向性アンテナのいずれか一方を前記キャリアセンス実行手段および前記データ送受信手段のいずれか一方に電気的に接続する接続手段を具備し、前記接続手段が、前記第１の時間において前記無指向性アンテナを前記キャリアセンス実行手段に電気的に接続し、かつ、前記第２の時間において前記指向性アンテナを前記データ送受信手段に電気的に接続する構成を採る。
【００１４】
この構成によれば、請求項１記載の送受信装置による効果に加えて、第１の時間において無指向性アンテナをキャリアセンス実行手段に電気的に接続し、かつ、第２の時間において指向性アンテナをデータ送受信手段に電気的に接続するため、指向性アンテナを用いるデータの送受信処理および無指向性アンテナを用いるキャリアセンスのいずれか一方を選択的に実行させるための制御を容易に行うことができる。
【００１５】
請求項３記載の基地局装置は、請求項１または請求項２記載の送受信装置を具備する構成を採る。
【００１６】
この構成によれば、請求項１または請求項２記載の送受信装置と同様の作用効果を実現する基地局装置を提供することができる。
【００１７】
請求項４記載の通信端末装置は、請求項１または請求項２記載の送受信装置を具備する構成を採る。
【００１８】
この構成によれば、請求項１または請求項２記載の送受信装置と同様の作用効果を実現する通信端末装置を提供することができる。
【００１９】
請求項５記載の送受信方法は、指向性アンテナと、無指向性アンテナと、を具備する送受信装置における送受信方法であって、第１の時間を決定する決定ステップと、前記第１の時間において前記無指向性アンテナを用いてキャリアセンスを実行するキャリアセンス実行ステップと、前記第１の時間以外の第２の時間において前記指向性アンテナを用いてデータの送受信処理を実行するデータ送受信ステップと、を具備するようにした。
【００２０】
この方法によれば、第１の時間においてキャリアセンスを実行する時に無指向性アンテナを使用するため、短時間で、かつ、通信相手装置が位置する方向および当該方向と反対の方向を含む全ての方向において、キャリアセンスを実行できるから、システム全体のスループットを維持しつつ、データの衝突が発生する可能性を低減することができる。
【００２１】
【発明の実施の形態】
本発明の骨子は、第１の時間において無指向性アンテナを用いてキャリアセンスを行い、かつ、前記第１の時間以外の第２の時間において指向性アンテナを用いてデータの送受信を行うことである。
【００２２】
以下、本発明の実施の形態について、図面を参照して詳細に説明する。
【００２３】
（実施の形態１）
図１は、本発明の実施の形態１に係る送受信装置の構成を示すブロック図である。
【００２４】
図１に示す送受信装置１００は、キャリアセンス時間決定部１０２、アンテナ素子選択制御部１０４、アンテナ素子選択部１０６、指向性アンテナ１０８、無指向性アンテナ１１０、データ送受信部１１２、キャリアセンス実行部１１４および送信制御部１１６を具備している。また、データ送受信部１１２は、送信処理部１１８、周波数変換部１２０、１２２および受信処理部１２４を具備している。また、キャリアセンス実行部１１４は、周波数変換部１２６、受信レベル測定部１２８および受信レベル判定部１３０を具備している。
【００２５】
キャリアセンス時間決定部１０２は、キャリアセンス実行部１１４によるキャリアセンスの実行の時間（以下「第１の時間」と言う）を決定する。キャリアセンス時間決定部１０２は、第１の時間においてキャリアセンス実行部１１４にキャリアセンスを実行させるためのキャリアセンス指示信号を出力する。
【００２６】
なお、第１の時間の決定動作の一例として、キャリアセンス時間決定部１０２は、所定の時間間隔でキャリアセンスが実行されるように第１の時間を決定する。たとえば、キャリアセンス時間決定部１０２は、所定の時間間隔が経過する度にキャリアセンス指示信号を出力する。ここで、所定の時間間隔は、固定でも可変でも良い。所定の時間間隔が可変である場合、キャリアセンス時間決定部１０２は、たとえば受信データの受信品質に応じて所定の時間間隔を変化させても良い。また、所定の時間間隔が可変である場合、キャリアセンス時間決定部１０２は、たとえば通信回線の混み具合を判定して、その判定結果に応じて所定の時間間隔を変化させても良い。
【００２７】
また、第１の時間の決定動作の他の例として、キャリアセンス時間決定部１０２は、不定期にキャリアセンスが実行されるように第１の時間を決定する。たとえば、キャリアセンス時間決定部１０２は、受信データに対して誤り検出が行われた時に当該受信データの制御用ビットの誤りが検出された時（いわゆる「フォーマットバイオレーション」が発生した時）に、キャリアセンス指示信号を出力する。この場合、送受信装置１００は、品質の悪いデータの受信処理を強制的に終了してキャリアセンスの実行に移行することができる。
【００２８】
アンテナ素子選択制御部１０４は、指向性アンテナ１０８における複数のアンテナ素子のうちの通信相手装置が位置する方向に対応するアンテナ素子をアンテナ素子選択部１０６に選択させるための選択制御信号を出力する。
【００２９】
アンテナ素子選択部１０６は、アンテナ素子選択制御部１０４からの選択制御信号に従って、指向性アンテナ１０８における複数のアンテナ素子のうちの通信相手装置が位置する方向に対応するアンテナ素子を選択することにより、指向性アンテナ１０８の指向方向を通信相手装置が位置する方向と整合させる。
【００３０】
指向性アンテナ１０８は、複数のアンテナ素子を有する。指向性アンテナ１０８は、周波数変換部１２０からの送信データを複数のアンテナ素子のうちのアンテナ素子選択部１０６によって選択されたアンテナ素子を介して無線送信する。また、指向性アンテナ１０８は、通信相手装置から無線送信されたデータを複数のアンテナ素子のうちのアンテナ素子選択部１０６によって選択されたアンテナ素子を介して受信して受信データとして出力する。
【００３１】
データ送受信部１１２は、キャリアセンス時間決定部１０２から出力されたキャリアセンス指示信号に従って、第１の時間以外の時間（以下「第２の時間」と言う）において指向性アンテナ１０８を用いてデータの送受信処理を実行する。より具体的には、通信相手装置に送信すべき送信データの送信処理または通信相手装置から受信した受信データの受信処理を実行する。一方、データ送受信部１１２は、キャリアセンス時間決定部１０２から出力されたキャリアセンス指示信号に従って、第１の時間において、データの送受信処理を実行しない。
【００３２】
ここで、データ送受信部１１２内部の各構成要素について説明する。
【００３３】
送信処理部１１８は、送信制御部１１６から出力された送信指示信号を受信した時に、送信データに対して誤り訂正符号化および変調などを含む所定の送信処理を行う。そして、送信処理部１１８は、送信処理後の送信データを出力する。
【００３４】
周波数変換部１２０は、送信処理部１１８から出力された送信データをベースバンド信号からＲＦ（Ｒａｄｉｏ  Ｆｒｅｑｕｅｎｃｙ）信号に周波数変換して、周波数変換後の送信データを出力する。
【００３５】
周波数変換部１２２は、指向性アンテナ１０８から出力された受信データをＲＦ信号からベースバンド信号に周波数変換して、周波数変換後の受信データを出力する。
【００３６】
受信処理部１２４は、周波数変換部１２２から出力された受信データに対して復調、誤り訂正復号化および誤り検出などを含む所定の受信処理を行って、受信処理後の受信データを出力する。
【００３７】
キャリアセンス実行部１１４は、キャリアセンス時間決定部１０２から出力されたキャリアセンス指示信号に従って、第１の時間において無指向性アンテナ１１０を用いてキャリアセンスを実行する。一方、キャリアセンス実行部１１４は、キャリアセンス時間決定部１０２から出力されたキャリアセンス指示信号に従って、第１の時間以外の第２の時間において、キャリアセンスを実行しない。
【００３８】
キャリアセンス実行部１１４は、無指向性アンテナ１１０を使用してキャリアセンスを実行するため、全方向からの無線信号を受信することができるから、他の送受信装置の、特に、通信相手装置が位置する方向と反対の方向に位置する送受信装置のデータの送受信を把握することができるので、他の送受信装置のデータの送受信を妨害してしまうことを防止できる。
【００３９】
ここで、キャリアセンス実行部１１４内部の各構成要素について説明する。
【００４０】
周波数変換部１２６は、無指向性アンテナ１１０を介して受信した無線信号をＲＦ信号からベースバンド信号に周波数変換して、周波数変換後の無線信号を出力する。
【００４１】
受信レベル測定部１２８は、周波数変換部１２６からの無線信号の受信レベルを測定して、受信レベル測定値を出力する。
【００４２】
受信レベル判定部１３０は、受信レベル測定部１２８からの受信レベル測定値を所定の閾値と比較する。そして、受信レベル判定部１３０は、受信レベル測定値が所定の閾値より大きい場合に他の送受信装置がキャリアを送信していると判断し、通信回線に空きがないことを示す信号を出力する。一方、受信レベル判定部１３０は、受信レベル測定値が所定の閾値以下である場合に他の送受信装置がキャリアを送信していないと判断し、通信回線に空きがあることを示す信号を出力する。
【００４３】
送信制御部１１６は、受信レベル判定部１３０から通信回線に空きがあることを示す信号を受信した時に、送信処理部１１８に送信処理を行わせるための送信指示信号を出力する。一方、送信制御部１１６は、受信レベル判定部１３０から通信回線に空きがないことを示す信号を受信した時に、送信処理部１１８に送信処理を行わせるための送信指示信号を出力しない。
【００４４】
次いで、上記構成を有する送受信装置１００における動作について説明する。図２は、送受信装置１００のキャリアセンス実行部１１４の動作の一例を説明するためのフロー図である。
【００４５】
まず、ステップＳＴ２０２において、キャリアセンス実行部１１４は、キャリアセンス時間決定部１０２からキャリアセンス指示信号を受信したか否かを判定する。ここで、キャリアセンス指示信号は、第１の時間において出力され、かつ、第２の時間において出力されないものとする。
【００４６】
そして、キャリアセンス実行部１１４は、キャリアセンス指示信号を受信した場合（ステップＳＴ２０２：ＹＥＳ）に、ステップＳＴ２０４において、無指向性アンテナ１１０を用いてキャリアセンスを実行する。一方、キャリアセンス実行部１１４は、キャリアセンス指示信号を受信しなかった場合（ステップＳＴ２０２：ＮＯ）に、キャリアセンスを実行しない。
【００４７】
図３は、送受信装置１００のデータ送受信部１１２の動作の一例を説明するためのフロー図である。
【００４８】
まず、ステップＳＴ３０２において、データ送受信部１１２は、キャリアセンス時間決定部１０２からキャリアセンス指示信号を受信したか否かを判定する。ここで、キャリアセンス指示信号は、第１の時間において出力され、かつ、第２の時間において出力されないものとする。
【００４９】
そして、データ送受信部１１２は、キャリアセンス指示信号を受信した場合（ステップＳＴ３０２：ＹＥＳ）に、データの送受信処理を実行しない。一方、データ送受信部１１２は、キャリアセンス指示信号を受信しなかった場合（ステップＳＴ３０２：ＮＯ）に、ステップＳＴ３０４において、指向性アンテナ１０８を用いてデータの送受信処理を実行する。
【００５０】
このように、実施の形態１によれば、第１の時間においてキャリアセンスを実行する時に無指向性アンテナ１１０を使用するため、通信相手装置が位置する方向および当該方向と反対の方向を含む全ての方向において、かつ短時間で、キャリアセンスを実行できるから、システム全体のスループットを維持しつつ、データの衝突が発生する可能性を低減することができる。
【００５１】
なお、実施の形態１において説明した送受信装置１００を無線通信システムの基地局装置に適用することができる。この場合、送受信装置１００と同様の作用効果を実現する基地局装置を提供することができる。また、実施の形態１において説明した送受信装置１００を無線通信システムの通信端末装置に適用することができる。この場合、送受信装置１００と同様の作用効果を実現する通信端末装置を提供することができる。
【００５２】
（実施の形態２）
図４は、本発明の実施の形態２に係る送受信装置の構成を示すブロック図である。なお、実施の形態２に係る送受信装置は、実施の形態１において説明した送受信装置１００と同様の基本的構成を有しており、同一の構成要素には同一の参照符号を付し、その説明を省略する。
【００５３】
図４に示す送受信装置４００は、送受信装置１００におけるデータ送受信部１１２およびキャリアセンス実行部１１４の代わりにデータ送受信部４０１およびキャリアセンス実行部４０２を具備し、さらに、アンテナ接続部４０３を具備して成るものである。データ送受信部４０１は、送信処理部１１８、周波数変換部１２０、１２２および受信処理部１２４を具備している。また、キャリアセンス実行部４０２は、周波数変換部１２６、受信レベル測定部１２８および受信レベル判定部１３０を具備している。
【００５４】
アンテナ接続部４０３は、キャリアセンス時間決定部１０２から出力されたキャリアセンス指示信号に従って、第１の時間において無指向性アンテナ１１０をキャリアセンス実行部４０２に電気的に接続する。より具体的には、アンテナ接続部４０３は、第１の時間において無指向性アンテナ１１０をキャリアセンス実行部４０２における周波数変換部１２６に電気的に接続する。
【００５５】
また、アンテナ接続部４０３は、キャリアセンス時間決定部１０２から出力されたキャリアセンス指示信号に従って、第１の時間以外の第２の時間において指向性アンテナ１０８をデータ送受信部４０１に電気的に接続する。より具体的には、アンテナ接続部４０３は、第２の時間において指向性アンテナ１０８をデータ送受信部４０１における周波数変換部１２０、１２２に電気的に接続する。
【００５６】
データ送受信部４０１は、第２の時間において指向性アンテナ１０８を用いてデータの送受信処理を実行する。より具体的には、通信相手装置に送信すべき送信データの送信処理または通信相手装置から受信した受信データの受信処理を実行する。一方、データ送受信部４０１は、第１の時間においてデータの送受信処理を実行しない。
【００５７】
ここで、データ送受信部４０１内部の各構成要素について説明する。
【００５８】
送信処理部１１８は、送信制御部１１６から出力された送信指示信号を受信した時に、送信データに対して誤り訂正符号化および変調などを含む所定の送信処理を行う。そして、送信処理部１１８は、送信処理後の送信データを出力する。
【００５９】
周波数変換部１２０は、送信処理部１１８から出力された送信データをベースバンド信号からＲＦ（Ｒａｄｉｏ  Ｆｒｅｑｕｅｎｃｙ）信号に周波数変換して、周波数変換後の送信データを出力する。
【００６０】
周波数変換部１２２は、指向性アンテナ１０８から出力された受信データをＲＦ信号からベースバンド信号に周波数変換して、周波数変換後の受信データを出力する。
【００６１】
受信処理部１２４は、周波数変換部１２２から出力された受信データに対して復調、誤り訂正復号化および誤り検出などを含む所定の受信処理を行って、受信処理後の受信データを出力する。
【００６２】
キャリアセンス実行部４０２は、第１の時間において無指向性アンテナ１１０を用いてキャリアセンスを実行する。一方、キャリアセンス実行部４０２は、第２の時間においてキャリアセンスを実行しない。
【００６３】
キャリアセンス実行部４０２は、無指向性アンテナ１１０を使用してキャリアセンスを実行するため、全方向からの無線信号を受信することができるから、他の送受信装置の、特に、通信相手装置が位置する方向と反対の方向に位置する送受信装置のデータの送受信を把握することができるので、他の送受信装置のデータの送受信を妨害してしまうことを防止できる。
【００６４】
ここで、キャリアセンス実行部４０２内部の各構成要素について説明する。
【００６５】
周波数変換部１２６は、無指向性アンテナ１１０を介して受信した無線信号をＲＦ信号からベースバンド信号に周波数変換して、周波数変換後の無線信号を出力する。
【００６６】
受信レベル測定部１２８は、周波数変換部１２６からの無線信号の受信レベルを測定して、受信レベル測定値を出力する。
【００６７】
受信レベル判定部１３０は、受信レベル測定部１２８からの受信レベル測定値を所定の閾値と比較する。そして、受信レベル判定部１３０は、受信レベル測定値が所定の閾値より大きい場合に他の送受信装置がキャリアを送信していると判断し、通信回線に空きがないことを示す信号を出力する。一方、受信レベル判定部１３０は、受信レベル測定値が所定の閾値以下である場合に他の送受信装置がキャリアを送信していないと判断し、通信回線に空きがあることを示す信号を出力する。
【００６８】
次いで、上記構成を有する送受信装置４００における動作について説明する。図５は、送受信装置４００のアンテナ接続部４０３、データ送受信部４０１およびキャリアセンス実行部４０２の動作を説明するためのフロー図である。
【００６９】
まず、ステップＳＴ５０２において、アンテナ接続部４０３は、キャリアセンス時間決定部１０２からキャリアセンス指示信号を受信したか否かを判定する。ここで、キャリアセンス指示信号は、第１の時間において出力され、かつ、第２の時間において出力されないものとする。
【００７０】
そして、アンテナ接続部４０３は、キャリアセンス指示信号を受信した場合（ステップＳＴ５０２：ＹＥＳ）に、ステップＳＴ５０４において、指向性アンテナ１０８および無指向性アンテナ１１０のうちの無指向性アンテナ１１０を選択する。そして、ステップＳＴ５０６において、アンテナ接続部４０３は、無指向性アンテナ１１０をキャリアセンス実行部４０２に電気的に接続する。そして、ステップＳＴ５０８において、キャリアセンス実行部４０２は、無指向性アンテナ１１０を用いてキャリアセンスを実行する。
【００７１】
一方、アンテナ接続部４０３は、キャリアセンス指示信号を受信しなかった場合（ステップＳＴ５０２：ＮＯ）に、ステップＳＴ５１０において、指向性アンテナ１０８および無指向性アンテナ１１０のうちの指向性アンテナ１０８を選択する。そして、ステップＳＴ５１２において、アンテナ接続部４０３は、指向性アンテナ１０８をデータ送受信部４０１に電気的に接続する。そして、ステップＳＴ５１４において、データ送受信部４０１は、指向性アンテナ１０８を用いてデータの送受信処理を実行する。
【００７２】
このように、実施の形態２によれば、実施の形態１において説明した効果に加えて、第１の時間において無指向性アンテナ１１０をキャリアセンス実行部４０２に電気的に接続し、かつ、第２の時間において指向性アンテナ１０８をデータ送受信部４０１に電気的に接続するため、指向性アンテナ１０８を用いるデータの送受信処理および無指向性アンテナ１１０を用いるキャリアセンスのいずれか一方を選択的に実行させるための制御を容易に行うことができる。
【００７３】
なお、実施の形態２において説明した送受信装置４００を無線通信システムの基地局装置に適用することができる。この場合、送受信装置４００と同様の作用効果を実現する基地局装置を提供することができる。また、実施の形態２において説明した送受信装置４００を無線通信システムの通信端末装置に適用することができる。この場合、送受信装置４００と同様の作用効果を実現する通信端末装置を提供することができる。
【００７４】
【発明の効果】
以上説明したように、本発明によれば、第１の時間において無指向性アンテナを用いてキャリアセンスを行い、かつ、前記第１の時間以外の第２の時間において指向性アンテナを用いてデータの送受信を行うため、システム全体のスループットを維持しつつ、複数の装置から送信されたデータの衝突が発生する可能性を低減することができる。
【図面の簡単な説明】
【図１】本発明の実施の形態１に係る送受信装置の構成を示すブロック図
【図２】本発明の実施の形態１に係る送受信装置のキャリアセンス実行部の動作を説明するためのフロー図
【図３】本発明の実施の形態１に係る送受信装置のデータ送受信部の動作を説明するためのフロー図
【図４】本発明の実施の形態２に係る送受信装置の構成を示すブロック図
【図５】本発明の実施の形態２に係る送受信装置における動作を説明するためのフロー図
【図６】従来の無線通信システムにおける動作の一例を説明するための図
【符号の説明】
１００、４００  送受信装置
１０２  キャリアセンス時間決定部
１０４  アンテナ素子選択制御部
１０６  アンテナ素子選択部
１０８  指向性アンテナ
１１０  無指向性アンテナ
１１２、４０１  データ送受信部
１１４、４０２  キャリアセンス実行部
１１６  送信制御部
１１８  送信処理部
１２０、１２２、１２６  周波数変換部
１２４  受信処理部
１２８  受信レベル測定部
１３０  受信レベル判定部
４０３  アンテナ接続部
【図１】
2004266737.tif 000003
【図２】
2004266737.tif 000004
【図３】
2004266737.tif 000005
【図４】
2004266737.tif 000006
【図５】
2004266737.tif 000007
【図６】
2004266737.tif 000008